(57)【要約】【課題】電力消費が少なく、かつサインマーク全体が明るく発光して視認性に優れるサイン表示灯を提供することを目的とする。【解決手段】サインマークＭを発光表示するサイン表示灯１であって、サインマークＭが裏面又は表面に施された透光性を有するサイン板２と、光源３と、この光源３の光が端部５１から入光される光ファイバー５とを備える。光ファイバー５は、光源３の光が端部５１から入光されると長さ部分の外周面が面発光するものであってサイン板２の外周端面２ｃに沿って配設されて、この光ファイバー５の面発光がサイン板２の外周端面２ｃからサイン板２内に入射してサインマークＭを発光させる構成とする。【選択図】図１
0003199121.tif 000002
【実用新案登録請求の範囲】
【請求項１】
サインマークを発光表示するサイン表示灯であって、
サインマークが裏面又は表面に施された透光性を有するサイン板と、光源と、この光源の光が端部から入光される光ファイバーとを備え、
上記光ファイバーは、光源の光が端部から入光されると長さ部分の外周面が面発光するものであってサイン板の外周端面に沿って配設されて、この光ファイバーの面発光がサイン板の外周端面からサイン板内に入射してサインマークを発光させる構成としたサイン表示灯。
【請求項２】
請求項１に記載のサイン表示灯において、
上記サイン板の外周部には、上記光ファイバーを収容するとともに内面を反射面とするファイバーカバーが設けられているサイン表示灯。
【請求項３】
サインマークを発光表示するサイン表示灯であって、
固定板と、光源と、この光源の光が端部から入光される光ファイバーとを備え、
上記光ファイバーは、光源の光が端部から入光されると長さ部分の外周面が面発光するものであってサインマークの形状を構成するように上記固定板の片面又は両面に設けられて、この光ファイバーの面発光がサインマークの発光表示となる構成としたサイン表示灯。
【請求項４】
請求項３に記載のサイン表示灯において、
上記光ファイバーは、サインマークの発光表示を構成しない部分の面発光が遮光されているサイン表示灯。
【請求項５】
請求項１〜４のいずれかに記載のサイン表示灯において、
上記光ファイバーは、光源の光が一端部から入光されると長さ部分の外周面が面発光するとともに他端部からも光が出射されるものであり、他端部を下方へ向けて設置して他端部からの出射光を本サイン表示灯の手前の地面を照らす足元照明とする構成としたサイン表示灯。
【請求項６】
請求項１〜５のいずれかに記載のサイン表示灯において、
上記面発光する光ファイバーとは別に、光源の光が一端部から入光されると長さ部分の外周面は面発光せず他端部から光が出射される他の光ファイバーを更に備え、
上記他の光ファイバーは、他端部を下方へ向けて設置して他端部からの出射光を本サイン表示灯の手前の地面を照らす足元照明とする構成としたサイン表示灯。
【考案の詳細な説明】
【技術分野】
【０００１】
本考案は、例えば、避難誘導、防犯、道路標識、案内標識等の標識となるサインマークを発光表示するサイン表示灯に関する。
【背景技術】
【０００２】
従来、避難誘導用のサイン表示灯として、サインマークを施した透光板の側面に複数のＬＥＤを取り付け、災害時にＬＥＤを点灯して透光板の側面から光を入射してサインマークを発光させて視認させるものがある（特許文献１）。
【先行技術文献】
【特許文献】
【０００３】
【特許文献１】特開平９−８２１１８号公報
【特許文献２】特開２０００−７６５９２号公報
【考案の概要】
【考案が解決しようとする課題】
【０００４】
上記従来のサイン表示灯では、光源として複数のＬＥＤを並設するものであるが、このような光源は、個々のＬＥＤによる点光源である。そのため、サイン板内には均一に投光され難く、またサイン板内への投光量が不足気味となり、サインマークの発光にムラが生じて視認性が不十分となるおそれがあった。一方、サイン板内への投光量不足を補うためにＬＥＤを数多く設けると電力消費が多くなり、しかも高価になってしまう。
【０００５】
本考案は、以上の事情に鑑みてなされ、電力消費が少なく、かつサインマーク全体が明るく発光して視認性に優れるサイン表示灯を提供することを目的とする。
【課題を解決するための手段】
【０００６】
本考案の一形態に係るサイン表示灯は、
サインマークを発光表示するサイン表示灯であって、
サインマークが裏面又は表面に施された透光性を有するサイン板と、光源と、この光源の光が端部から入光される光ファイバーとを備え、
上記光ファイバーは、光源の光が端部から入光されると長さ部分の外周面が面発光するものであってサイン板の外周端面に沿って配設されて、この光ファイバーの面発光がサイン板の外周端面からサイン板内に入射してサインマークを発光させる構成としたものである。
【０００７】
本考案の別形態に係るサイン表示灯は、
サインマークを発光表示するサイン表示灯であって、
固定板と、光源と、この光源の光が端部から入光される光ファイバーとを備え、
上記光ファイバーは、光源の光が端部から入光されると長さ部分の外周面が面発光するものであってサインマークの形状を構成するように上記固定板の片面又は両面に設けられて、この光ファイバーの面発光がサインマークの発光表示となる構成としたものである。
【考案の効果】
【０００８】
本考案の一形態に係るサイン表示灯によれば、サイン板内には、外周端面から光ファイバーの面発光が均一に投光される。また、サイン板には、外周囲の略全体から光ファイバーの面発光が投光されることでサイン板内への投光量が不足することもない。従って、サインマークをムラなく発光させ、しかもサインマークの全体を明るく発光させることができ、外部からのサインマークの視認性を向上することができる。
本考案の別形態に係るサイン表示灯によれば、長さ部分の外周面が面発光する光ファイバー自体でサインマークの発光表示を構成するので、サインマーク全体が明るく発光して視認性の良いものが得られる。
また、本考案の各形態ともに、光源は、光ファイバーの端部に光を入射させるだけでよいから、従来のように複数個のＬＥＤを使用する場合に比べ、電力消費を少なくすることができる。
【図面の簡単な説明】
【０００９】
【図１】実施形態１によるサイン表示灯の構成を示す正面図（図１（ａ））及び該正面図のＸＸ断面図（図１（ｂ））である。
【図２】実施形態１によるサイン表示灯の変形例の構成を示す正面図（図２（ａ））及び該正面図のＸＸ断面図（図２（ｂ））である。
【図３】実施形態１によるサイン表示灯の他の変形例の構成を示す正面図（図３（ａ））及び該正面図のＸＸ断面図（図３（ｂ））である。
【図４】実施形態１によるサイン表示灯の更に他の変形例の構成を示す正面図（図４（ａ））及び該正面図のＸＸ断面図（図４（ｂ））である。
【図５】実施形態２によるサイン表示灯の構成を示す正面図（図５（ａ））及び該正面図のＸＸ断面図（図５（ｂ））である。
【図６】実施形態２によるサイン表示灯の変形例の構成を示す正面図である。
【考案を実施するための形態】
【００１０】
（実施形態１）
実施形態１のサイン表示灯は、避難誘導灯として使用され、例えば、道端等に立設した垂直ポール、防護柵又は手すり等に取り付けて、夜間等の暗い時、災害時等に、避難誘導用のサインマークを発光表示するものである。なお、本考案のサイン表示灯は、避難誘導灯に限らず、サインマークを使用目的に応じて変更して防犯灯、道路標識灯、案内標識灯などの様々なサイン表示灯として使用することができる。
【００１１】
図１（ａ）（ｂ）に示すように、実施形態１のサイン表示灯１は、避難誘導用のサインマークＭが施された透光性を有するサイン板２と、光源３と、光源３の光が一端部５１から入光される光ファイバー５とを備えている。光ファイバー５は、長さ部分の外周面が面発光するものであってサイン板２の外周端面２ｃに沿って配設されて、この光ファイバー５の面発光がサイン板２の外周端面２ｃからサイン板２内に入射してサインマークＭを発光させるように構成されている。
【００１２】
また、サイン表示灯１は、図示しないが、光源３に電力供給を行う電源装置、光源３及び電源装置を制御する制御装置等も備えている。電源装置は、例えば、太陽電池、商用電源等で構成される。電源装置が太陽電池利用の場合は、ソーラーパネルの発電を充電する蓄電体を備える。制御装置は、光センサ又はタイマー等を備え、夜間に光源３を点灯又は点滅させサインマークＭを発光させるように制御する。なお、制御装置は、電源装置が太陽電池利用の場合、光センサやタイマーに代えて、明暗で変化するソーラーパネルの発電電圧により夜間の判別を行ってもよい。また、制御装置は、災害情報の受信部を更に設けることができ、これにより、災害時に光源３を点灯又は点滅させサインマークＭを発光させるように制御するようにすることができる。また、制御装置は、昼間でも常時又は定時的に光源３を点灯又は点滅させるように制御するようにしてもよい。
【００１３】
サイン板２は、サインマークＭが施された四角形状の透光板により形成されている。サイン板２は、これより一回り大きい表カバー板２１と裏カバー板２２とにより挟持されている。サイン板２と表カバー板２１は、透光性を有する透明又は半透明の板であって、アクリル、ポリカーボネート等のプラスチック板や、ガラス板等により形成される。なお、サイン板２は、面発光機能を有する導光板であってもよい。裏カバー板２２は、表カバー板２１と同じく透明又は半透明の板であってもよいし、また、金属製、樹脂製、木製等の不透明板を使用してもよい。裏カバー板２２は、内側面を反射面としサイン板２側に反射光を照射するものでもよい。
【００１４】
サインマークＭは、光が当たると発光する発光材料をサイン板２の裏面２ｂに印刷や塗装等して形成されるが、エッチングやサンディング等でサイン板２の板面を粗面加工して形成し、この粗面に光が当たると乱反射して発光するようにしてもよい。なお、サインマークＭは、サイン板２の表面２ａに形成されていてもよい。サインマークＭとして、図１（ａ）に示したものでは、災害時に避難方向を示すピクトマーク等が用いられるが、これに限らず、防犯表示、道路標識、案内標識等のようにサイン表示灯１の使用目的に応じて様々な表示とすることができる。また、サインマークＭは、図形、文字、記号、矢印、地図等の様々な表示を単独又は任意に組み合わせたものでもよい。
【００１５】
サイン板２の外周部には、光ファイバー５を収容する断面コ字状のファイバーカバー４が設けられている（図１（ｂ）参照）。なお、図１（ａ）中の一点鎖線の波線より右側では表カバー板２１及びファイバーカバー４を切り欠いて示している。このファイバーカバー４は、金属、樹脂等で形成することができ、一体物でもよいし、分割物を組み立てるものでもよい。ファイバーカバー４の内面４１は、反射面となっており、光ファイバー５の外周面から出射する面発光を反射させ、この反射光をサイン板２の外周端面２ｃに向かわせることができる。
【００１６】
光源３（図１（ａ）参照）は、レーザやＬＥＤ（発光ダイオード）等が使用されるが、高輝度等の点でレーザを使用するのが好ましい。この光源３は、例えば、レーザ素子とレンズ等を組み込んでユニット化したレーザボックスが使用される。レーザボックスの光出射口部に光ファイバー５の一端部５１が取り付けられ、レーザを光ファイバー５の一端部５１と対向させてレーザ光（光源光）が光ファイバー５の一端部５１から入光される。
【００１７】
光ファイバー５は、.可撓性を有し、容易に曲げてサイン板２の外周端面２ｃに沿って略外周全体に配設することができる。なお、光ファイバー５は、ファイバーカバー４内に収容することでサイン板５の外周端面２ｃに沿って配設されるが、必要に応じて固定具で適宜に固定させてもよい。また、光ファイバー５は、サイン板２の外周端面２ｃと接触させて配設してもよく、この場合、光ファイバー５の外周面から出射する面発光を効率よくサイン板２の外周端面２ｃから入光させることができる。
【００１８】
光ファイバー５の内部構造は、外径部のクラッドと内径部のコアとから構成され、クラッドは屈折率がコアより小さい素材で形成されている。これにより、光ファイバー５の一端部５１に光源３の光が照射されると、コアに入射された光は、クラッドとコアとの境界面で反射を繰り返して光ファイバー５の他端部５２に伝わるとともに長さ部分の外周面から出射されることにより線状に均一に面発光される。従って、サイン板２内には、外周端面２ｃから光ファイバー５の面発光が均一に投光される。また、サイン板２には、外周囲の略全体から光ファイバー５の面発光が投光されることでサイン板２内への投光量が不足することもない。さらに、光源３のレーザ光が高輝度であるから、光ファイバー５から十分な投光量の光がサイン板２内に投光される。よって、サイン板２内には、外周囲の略全域から均一且つ十分な投光量の光が入射されることにより、サインマークＭをムラなく発光させ、しかもサインマークＭ全体を明るく発光させることができ、外部からのサインマークＭの視認性を大幅に向上することができる。なお、光ファイバー５の他端部５２は、光が出射されないように遮光処理が施されている。
【００１９】
また、光源３は、光ファイバー５の一端部５１に光を入射させるために、最低１個のレーザ（発光素子）を使用するだけでよいから、従来のように複数個のＬＥＤを使用する場合に比べ、電力消費を非常に少なくすることができ、省エネとなる。従って、電源装置に太陽電池を用いた場合、長時間発光させても電力不足となり難く安定的にサイン表示を行うことができ、例えば、商用電源を利用できない場所でも太陽電池を電源装置として簡易に本サイン表示灯１を設置することができる。
【００２０】
なお、実施形態１のサイン表示灯１は、以下のように変形することも可能である。
（１）図２に示すように、ファイバーカバー４を設置しないようにし、光ファイバー５の長さ部分の面発光自体も表カバー板２１を透過させて本サイン表示灯１の正面から視認されるようにすることができる。つまり、光ファイバー５の面発光自体もサインマークＭの一部を構成させる。これにより、サイン表示灯１の存在を明確にすることができる。この場合、光ファイバー５の固定は、表カバー板２１と裏カバー板２２とを締結させるボルト２３に所用箇所を当接させて支持することにより行うことができる。なお、図示しないが、ファイバーカバー４を取り付ける場合でも、ファイバーカバー４として、表カバー板２１側の配置部分を切り欠いた断面Ｌ型形状とすることで、光ファイバー５の長さ部分の面発光自体を視認させるようにしてもよい。
【００２１】
（２）図２に示すように、光ファイバー５は、光源３の光が一端部５１から入光されると長さ部分の外周面が面発光するとともに他端部５２からも光が出射されるものとし、この光ファイバー５の他端部５２を下方へ向けて設置して他端部５２からの出射光を本サイン表示灯１の手前の地面を照らして足元照明とすることができる。これにより、サインマークＭを発光させるとともにその設置場所での道の路面を明るく照らすことができる。従って、夜間に災害が発生した場合や火災の煙が漂っている場合であっても、避難者は、サインマークＭを明確に認識することができ、尚且つサインマークＭ表示灯の設置場所の道をも明確に認識することができる。よって、避難者は、困惑したり迷ったりすることなく安心して、安全に且つ迅速に避難場所へと避難することができる。このように、本サイン表示灯１では、面発光及び端部発光する光ファイバー５を用いることで、明るく均一なサインマークＭの発光表示とともに足元照明を行うことができ、しかも、省エネであるという効果が発揮される。
【００２２】
（３）図３に示すように、面発光する光ファイバー５とは別に、光源３の光が一端部５１から入光されると長さ部分の外周面は面発光せず他端部５２から光が出射される他の光ファイバー５Ａを更に備え、この他の光ファイバー５Ａは、他端部５２を下方へ向けて設置して他端部５２からの出射光を本サイン表示灯１の手前の地面を照らす足元照明とすることができる。これにより、上記（２）の例と同様、サイン表示灯１は、サインマークＭを発光させるとともにその設置場所での道の路面を明るく照らすことができ、避難者は、安心して、安全に且つ迅速に避難場所へと避難することができる。光源３は、面発光タイプの光ファイバー５と非面発光タイプの光ファイバー５Ａとにそれぞれ設けるが、同一の光源３に面発光タイプの光ファイバー５と非面発光タイプの光ファイバー５Ａとを接続するようにしてもよい。
【００２３】
（４）図４に示すように、光ファイバー５には、両端部５１，５２から光源３の光を入光させるようにしてもよい。この場合、光ファイバー５の長さ部分の面発光が全長においてより均一となり、サインマークＭの全体をよりムラなく発光させることができる。また、光源３を光ファイバー５の一端部５１側と他端部５２側とにそれぞれ設けるので、光ファイバー５の面発光がより明るくなるから、サインマークＭの発光がより明るくなり視認性をさらに向上することができる。なお、光ファイバー５の両端部５１，５２を１つの光源３に接続して光源３の数を増やさないようにしてもよい。
【００２４】
（５）また、表カバー板２１、裏カバー板２２、ファイバーカバー４を設けない構成としてもよい。
【００２５】
（実施形態２）
図５に示すように、実施形態２のサイン表示灯１Ａは、光源３の光が一端部５１から入光されると長さ部分の外周面が面発光する光ファイバー５をサインマークＭの形状を構成するように固定板６の表面６ａに設けて、この光ファイバー５の面発光がサインマークＭの発光表示とされる構成としたものである。
【００２６】
固定板６は、特に限定されず、例えば、樹脂製、ガラス製等の透明又は半透明の板であってもよいし、また、金属製、樹脂製、木製等の不透明板を使用してもよい。光ファイバー５の固定板６への固定は、光ファイバー５を直接貼り付けたり、オメガ状等の固定具で固定させたりする等により行うことができる。
【００２７】
光源３は、実施形態１と同じものが使用されるが、光出射口部にカラーフィルターを設ける等して出射光をカラー光とすることが好ましい。光ファイバー５も実施形態１と同じものが使用されるが、サインマークＭの発光表示を構成しない部分は、遮光部材５３を被覆して面発光が遮光されている。
【００２８】
図５では、光ファイバー５は、サインマークＭとして、ピクトマーク用（５Ｂ）、矢印用（５Ｃ）、囲み線用（５Ｄ）の３本が使用される。ピクトマークと矢印とを構成する２本の光ファイバー５Ｂ，５Ｃは、例えば、緑色のカラーフィルターを備える同一の光源３（レーザーボックス）に接続され、また、囲み線を構成する１本の光ファイバー５Ｄは、青色のカラーフィルターを備える別の光源３（レーザーボックス）に接続される。これにより、ピクトマークと矢印とが緑色の発光表示となり、囲み線が青色の発光表示となる。なお、このような光ファイバー５をカラー発光させる場合、光源３にカラーフィルターを備える場合はその光源３のレーザには白色のレーザ光を発するものが使用されるが、光源３にカラーフィルターを設けない場合はその光源３のレーザにはファイバー５の発光色と対応する色のレーザ光を発するものを使用してもよい。なお、光源３にＬＥＤを使用する場合でもカラーフィルターと白色ＬＥＤとを組み合わせたり、また、カラーフィルターを設けずに赤色、緑色、青色等の発光色のＬＥＤを単独で使用することができる。
【００２９】
以上の実施形態２のサイン表示灯１Ａによれば、面発光する光ファイバー５自体でサインマークＭの発光表示を構成することより、光ファイバー５は一端部５１に光源３の光が照射されると線状に均一に面発光するので、サインマークＭ全体が明るく発光して視認性の良いものが得られる。また、ピクトマークと矢印とを構成する各光ファイバー５は、光源３位置からサインマークＭ構成部分までのサインマークＭを構成しない部分に遮光部材５３を被覆して面発光が遮光されているので、適切なサインマークＭの発光表示を行うことができる。
【００３０】
なお、実施形態２のサイン表示灯１Ａにおいても、サインマークＭとして、避難誘導用に限らず、防犯表示、道路標識、案内標識等のようにサイン表示灯１Ａの使用目的に応じて様々な表示とすることができる。例えば、図６（ａ）（ｂ）に示すように、道路標識を構成するように光ファイバー５を固定板６に取り付け、道路標識用のサイン表示灯１Ａ（図６（ａ）は一方通行の道路標識用、図６（ｂ）は進入禁止の道路標識用を示す。）を構成してもよい。また、この実施形態２のサイン表示灯１Ａにおいても、実施形態１の場合と同様に、足元照明をも行えるようにすること（上記（２）（３））、光ファイバー５の両端部５１，５２から光源３の光を入光させること（上記（４））等の変形を行うことができる。
【符号の説明】
【００３１】
１，１Ａ  サイン表示灯
２  サイン板
２ａ  サイン板の表面
２ｂ  サイン板の裏面
２ｃ  サイン板の外周端面
３  光源
４  ファイバーカバー
５，５Ａ，５Ｂ，５Ｃ，５Ｄ  光ファイバー
６  固定板
６ａ  固定板の表面
２１  表カバー板
２２  裏カバー板
２３  ボルト
４１  ファイバーカバーの内面
５１  光ファイバーの一端部
５２  光ファイバーの他端部
５３  遮光部材
Ｍ  サインマーク
【図１】
0003199121.tif 000003
【図２】
0003199121.tif 000004
【図３】
0003199121.tif 000005
【図４】
0003199121.tif 000006
【図５】
0003199121.tif 000007
【図６】
0003199121.tif 000008